(57)【特許請求の範囲】
【請求項１】
室内でスプレー塗装が行われる塗装室と、その塗装室から排出されるオーバースプレー塗料含有の空気を吸入口から吸入してフィルタに通過させることで空気中のオーバースプレー塗料を前記フィルタにより捕集するフィルタ装置とを備え、
このフィルタ装置の前記吸入口には、吸入するオーバースプレー塗料含有の空気に対してフィルタ被覆層形成用の粉剤を噴出する粉剤噴出器を設けてある塗装設備であって、
前記塗装室からオーバースプレー塗料含有の空気を排出する排気口を、前記塗装室の側壁部において前記塗装室の床の近傍に形成し、
前記フィルタ装置を前記塗装室の側方に配置して、前記フィルタ装置と前記塗装室との間に、前記排気口を通じて前記塗装室から排出されるオーバースプレー塗料含有の空気を受け入れる中継チャンバを設け、
前記吸入口は、前記排気口に対する非対向の位置で前記中継チャンバに接続して前記中継チャンバの内部に開口させ、
前記塗装室の側壁のうち前記中継チャンバの側の側壁を、前記塗装室と前記中継チャンバとの間の仕切壁とする形態で、前記中継チャンバにおける前記塗装室の側の側壁に兼用し、
この仕切壁としての側壁の下端部に、前記塗装室と前記中継チャンバとを連通させる前記排気口を形成し、
前記仕切壁としての前記側壁又はその一部を、前記中継チャンバの内部に対するメンテナンス開口蓋にしてある塗装設備。
【請求項２】
室内でスプレー塗装が行われる塗装室と、その塗装室から排出されるオーバースプレー塗料含有の空気を吸入口から吸入してフィルタに通過させることで空気中のオーバースプレー塗料を前記フィルタにより捕集するフィルタ装置とを備え、
このフィルタ装置の前記吸入口には、吸入するオーバースプレー塗料含有の空気に対してフィルタ被覆層形成用の粉剤を噴出する粉剤噴出器を設けてある塗装設備であって、
前記塗装室からオーバースプレー塗料含有の空気を排出する排気口を、前記塗装室の側壁部において前記塗装室の床の近傍に形成し、
前記フィルタ装置を前記塗装室の側方に配置して、前記フィルタ装置と前記塗装室との間に、前記排気口を通じて前記塗装室から排出されるオーバースプレー塗料含有の空気を受け入れる中継チャンバを設け、
前記吸入口は、前記排気口に対する非対向の位置で前記中継チャンバに接続して前記中継チャンバの内部に開口させ、
前記塗装室における天井部の全面から換気用空気を均等な吹出風速で鉛直下向きに吹き出すのに対して、
前記塗装室の側壁における前記床の近傍から斜め下向きに前記塗装室の内方側に延びる傾斜姿勢の気流案内板を設け、
この気流案内板における塗装室内方側の先端と前記床との間の間隙を前記排気口にしてある塗装設備。
【請求項３】
前記気流案内板を、水平方向に対して４５°〜６０°の角度を成す傾斜姿勢にしてある請求項２記載の塗装設備。
【請求項４】
前記排気口の開口面に沿う方向での水平方向視において、前記気流案内板における塗装室内方側の先端が前記塗装室における被塗物設置箇所の下方近傍に位置する状態に、前記気流案内板を形成してある請求項２又は３記載の塗装設備。
【請求項５】
被塗物出入箇所と前記塗装室の室内における被塗物設置箇所との間で被塗物を往復搬送する搬送装置を、平面視において、前記塗装室に設置した塗装装置の両側夫々に配置してある請求項１〜４のいずれか１項に記載の塗装設備。
【請求項６】
前記中継チャンバにおける空気の最大風速を、前記吸入口における空気の風速の１／２以下にしてある請求項１〜５のいずれか１項に記載の塗装設備。
【請求項７】
室内でスプレー塗装が行われる塗装室と、その塗装室から排出されるオーバースプレー塗料含有の空気を吸入口から吸入してフィルタに通過させることで空気中のオーバースプレー塗料を前記フィルタにより捕集するフィルタ装置とを備え、
このフィルタ装置の前記吸入口には、吸入するオーバースプレー塗料含有の空気に対してフィルタ被覆層形成用の粉剤を噴出する粉剤噴出器を設けてある塗装設備であって、
前記塗装室からオーバースプレー塗料含有の空気を排出する排気口を、前記塗装室の側壁部において前記塗装室の床の近傍に形成し、
前記フィルタ装置を前記塗装室の側方に配置して、前記フィルタ装置と前記塗装室との間に、前記排気口を通じて前記塗装室から排出されるオーバースプレー塗料含有の空気を受け入れる中継チャンバを設け、
前記吸入口は、前記排気口に対する非対向の位置で前記中継チャンバに接続して前記中継チャンバの内部に開口させ、
前記フィルタ装置が、
フィルタ被覆層として前記フィルタの表面に堆積した前記粉剤を前記フィルタから落下させるフィルタ清掃手段と、
前記フィルタから落下する前記粉剤を受け取る受取ホッパと、
この受取ホッパに受け取った前記粉剤を、開閉弁を通じてタンク内に収容する循環タンクと、
この循環タンクに収容した前記粉剤を前記粉剤噴出器に給送して前記吸入口から吸入したオーバースプレー塗料含有の空気に噴出させる粉剤給送手段とを備え、
前記粉剤給送手段として、
前記粉剤をキャリア空気とともに前記粉剤噴出器に給送する粉剤給送路と、
動作用空気を絞り部に通過させることで発生させる負圧により、前記循環タンクから前記粉剤を吸入して、吸入した粉剤を前記絞り部を通過した前記動作用空気とともに前記粉剤給送路における前記キャリア空気に合流させるエゼクタとを備え、
前記動作用空気としてドライエアを、前記エゼクタにおける前記絞り部に供給する、塗装設備。
【請求項８】
前記循環タンクの内部は、通気性多孔板からなる散気板により上側室と下側室とに仕切り、
前記上側室は、前記受取ホッパが受け取った前記粉剤を前記開閉弁を通じて収容する粉剤収容室にし、
前記下側室は、室内に供給される流動化用空気を前記散気板を通じて前記粉剤噴出室に噴出させる散気室にし、
前記粉剤収容室の水平方向における一端部には、室内の前記粉剤を前記粉剤給送手段に対して送出する粉剤送出口を形成し、
前記粉剤収容室の水平方向における他端部には、前記粉剤送出口に向けて送出補助空気を噴出する補助空気噴出口を設けてある請求項７記載の塗装設備。
【請求項９】
前記補助空気噴出口から前記粉剤収容室に噴出する前記送出補助空気と、前記散気板を通じて前記粉剤収容室に噴出させる前記流動化用空気との少なくとも一方が、ドライエアである請求項８記載の塗装設備。
【発明の詳細な説明】
【技術分野】
【０００１】
本発明は塗装設備に関し、詳しくは、室内でスプレー塗装が行われる塗装室と、その塗装室から排出されるオーバースプレー塗料含有の空気を吸入口から吸入してフィルタに通過させることで空気中のオーバースプレー塗料をフィルタにより捕集するフィルタ装置とを備え、このフィルタ装置の前記吸入口には、吸入するオーバースプレー塗料含有の空気に対してフィルタ被覆層形成用の粉剤を噴出する粉剤噴出器を設けてある塗装設備に関する。
【背景技術】
【０００２】
この塗装設備では（図１参照）、吸入口２０からフィルタ装置２に吸入したオーバースプレー塗料含有の空気Ａに対して、吸入口２０における粉剤噴出器２９によりフィルタ被覆層形成用の粉剤Ｐを噴出することで、吸入した空気Ａをフィルタ２４に通過させるのに伴い、空気Ａ中の粉剤Ｐをフィルタ２４の表面に堆積させてフィルタ被覆層を形成し、これにより、吸入した空気Ａに含まれるオーバースプレー塗料をフィルタ被覆層としての粉剤堆積層により捕捉する形態にして、フィルタ２４に対するオーバースプレー塗料の直接の付着を防止した状態で、空気Ａ中のオーバースプレー塗料を捕集する。
【０００３】
ところで従来、この種の塗装設備としては、図８に示すように、塗装室４から下方に排出されるオーバースプレー塗料含有の空気Ａを受け入れる排気室４Ａを塗装室４の下方に設け、フィルタ装置２の吸入口２０（即ち、粉剤噴出器２９を備える吸入口）を、塗装室４下方の排気室４Ａの側壁において排気室４Ａに開口させた塗装設備がある。（特許文献１参照、特に図１）
【０００４】
また、図９に示すように、塗装室４の側方にフィルタ装置２を設置する塗装設備として、フィルタ装置２の吸入口２０（粉剤噴出器２９を備える吸入口）を、塗装室４の側壁１５における床３ａの近傍箇所で塗装室４に開口させる塗装設備も考えられる。
【０００５】
即ち、これら図８や図９に示す従来の塗装設備では、フィルタ装置２の吸入口２０を、塗装室４下方の排気室４Ａに開口させる、ないしは、少なくとも塗装室４の側壁１５における床３ａの近傍箇所で塗装室４に開口させることで、塗装室４の天井部から下向きに吹き出す換気用空気ＳＡがフィルタ装置２の吸入口２０に短絡的に吸い込まれてしまうのを防止し、これにより、塗装室４の全体を極力良好な換気状態に保つようにしている。
【先行技術文献】
【特許文献】
【０００６】
【特許文献１】特開２０１１−２０６７１８号公報
【発明の概要】
【発明が解決しようとする課題】
【０００７】
しかし、上記した図８や図９に示す従来の塗装設備では、フィルタ装置２の吸入口２０を塗装室４下方の排気室４Ａにおける側壁ないしは塗装室４の側壁１５における床３ａの近傍箇所に配置することで、フィルタ装置２と塗装室４との相対的な位置関係（特に高さ方向での相対的な位置関係）が規定されてしまい、このため、塗装室４の高架設置が必要になったり、逆にフィルタ装置２を設置するピットの施設が必要になったりして、設備の設置施工が難しくなるとともに設備の設置コストが高く付き、また、設備に対するメンテナンス作業も難しくなる問題があった。
【０００８】
この実情に鑑み、本発明の主たる課題は、合理的な設備構成を採ることで、塗装室の換気状態を良好に保ちながら、また、オーバースプレー塗料を捕捉する機能を良好に保ちながら、上記の問題を解消する点にある。
【課題を解決するための手段】
【０００９】
本発明の第１特徴構成は塗装設備に係り、その特徴は、
室内でスプレー塗装が行われる塗装室と、その塗装室から排出されるオーバースプレー塗料含有の空気を吸入口から吸入してフィルタに通過させることで空気中のオーバースプレー塗料を前記フィルタにより捕集するフィルタ装置とを備え、
このフィルタ装置の前記吸入口には、吸入するオーバースプレー塗料含有の空気に対してフィルタ被覆層形成用の粉剤を噴出する粉剤噴出器を設けてある塗装設備であって、
前記塗装室からオーバースプレー塗料含有の空気を排出する排気口を、前記塗装室の側壁部において前記塗装室の床の近傍に形成し、
前記フィルタ装置を前記塗装室の側方に配置して、前記フィルタ装置と前記塗装室との間に、前記排気口を通じて前記塗装室から排出されるオーバースプレー塗料含有の空気を受け入れる中継チャンバを設け、
前記吸入口は、前記排気口に対する非対向の位置で前記中継チャンバに接続して前記中継チャンバの内部に開口させ、
前記塗装室の側壁のうち前記中継チャンバの側の側壁を、前記塗装室と前記中継チャンバとの間の仕切壁とする形態で、前記中継チャンバにおける前記塗装室の側の側壁に兼用し、
この仕切壁としての側壁の下端部に、前記塗装室と前記中継チャンバとを連通させる前記排気口を形成し、
前記仕切壁としての前記側壁又はその一部を、前記中継チャンバの内部に対するメンテナンス開口蓋にしてある点にある。
【００１０】
この構成では、塗装室からオーバースプレー塗料含有の空気を排出する排気口を、塗装室の側壁部において塗装室の床の近傍に配置するから、塗装室の天井から吹き出した換気用空気が短絡的に排気口に吸い込まれることを、図９に示す先述の従来設備と同等に防止することができ、これにより、塗装室の全体を良好な換気状態に保つことができる。
【００１１】
そして、フィルタ装置の吸入口は、塗装室とその側方に配置したフィルタ装置との間に設けた中継チャンバに接続して中継チャンバの内部に開口させるから、中継チャンバの形状や中継チャンバにおける吸入口の開口位置を状況等に応じて適当に選択することで、フィルタ装置と塗装室との相対的な位置関係（特に高さ方向での相対的な位置関係）に自由度を持たせることができ、これにより、塗装室の高架設置や、フィルタ装置を設置するピットの施設などを不要にして、設備の設置施工を容易するとともに設備の設置コストを安価にすることができ、また、設備に対するメンテナンス作業も容易にすることができる。
【００１２】
ところで、塗装室の側壁部における床の近傍に配置した排気口と、フィルタ装置の吸入口とを連通させるのに、図６，図７に示すように、それら排気口１４と吸入口２とをダクトＤにより接続することも考えられる。
【００１３】
しかし、この場合、先述した従来設備（図８，図９）のように、フィルタ装置２の吸入口２０を排気室４Ａや塗装室４などの室空間に開口させるのに比べて、ダクトＤ内を通過する空気流Ａに生じる乱れや偏流の影響が吸入口２０を通じてフィルタ装置２の内部に及ぶことで、吸入口２０から吸入した空気Ａに対して粉剤噴出器２９により噴出した粉剤Ｐの分散状態にも乱れや偏りが生じ易く、これが原因で、フィルタ被覆層としてフィルタ２４の表面に形成する粉剤堆積層の形成が不良になるなどして、空気Ａ中のオーバースプレー塗料を捕捉する機能（即ち、粉剤堆積層によりオーバースプレー塗料を捕捉してフィルタへのオーバースプレー塗料の直接の付着を防止する機能）が低下し易くなる。
【００１４】
これに対し、上記構成では、フィルタ装置の吸入口を、排気口とは非対向の位置で中継チャンバに接続して中継チャンバの内部に開口させるから、吸入口を通じてフィルタ装置の内部に影響が及ぶような空気流の乱れや偏流が生じることを、中継チャンバの静圧化機能（即ち、チャンバ内に流入した空気流の動圧を静圧化する機能）により抑止することができ、これにより、排気口と吸入口とをダクトにより接続するのに比べ、吸入口を塗装室下方の排気室や塗装室に開口させる従来設備（図８，図９参照）と同様、吸入口から吸入したオーバースプレー塗料含有の空気に対して粉剤噴出器により噴出した粉剤の空気中における分散状態を良好に保つことができ、これにより、空気中のオーバースプレー塗料を捕捉する機能も良好に保つことができる。
【００１５】
要するに、上記構成によれば、塗装室の天井から吹き出す換気用空気が排気口へ短絡するのを防止して塗装室の換気状態を良好に保ちながら、また、吸入口を通じてフィルタ装置の内部に影響が及ぶような空気流の乱れや偏流を抑止してオーバースプレー塗料に対する捕捉機能を良好に保ちながら、塗装室とフィルタ装置との相対的な位置関係に自由度を持たせることができ、これにより、設備の設置施工を容易するとともに設備の設置コストを安価にすることができ、また、設備に対するメンテナンス作業も容易にすることができる。
【００１６】
また、この第１特徴構成では、
前記塗装室の側壁のうち前記中継チャンバの側の側壁を、前記塗装室と前記中継チャンバとの間の仕切壁とする形態で、前記中継チャンバにおける前記塗装室の側の側壁に兼用し、
この仕切壁としての側壁の下端部に、前記塗装室と前記中継チャンバとを連通させる前記排気口を形成するから、次の作用・効果も奏する。
【００１７】
即ち、フィルタ装置と塗装室との間に中継チャンバを設けながらも、塗装室と中継チャンバとの間での上記の如き側壁の兼用化により、設備をコンパクトにすることができる。
【００１８】
更に、この第１特徴構成では、
前記仕切壁としての前記側壁又はその一部を、前記中継チャンバの内部に対する開閉操作が自在なメンテナンス開口蓋にしてあるから、次の作用・効果も奏する。
【００１９】
即ち、塗装室から排出される空気に含まれるオーバースプレー塗料の一部が中継チャンバの内面部に付着するとしても、上記メンテナンス開口蓋を開くことで、中継チャンバの内部を塗装室の側から容易に清掃することができる。
【００２０】
本発明の第２特徴構成は塗装設備に係り、その特徴は、
室内でスプレー塗装が行われる塗装室と、その塗装室から排出されるオーバースプレー塗料含有の空気を吸入口から吸入してフィルタに通過させることで空気中のオーバースプレー塗料を前記フィルタにより捕集するフィルタ装置とを備え、
このフィルタ装置の前記吸入口には、吸入するオーバースプレー塗料含有の空気に対してフィルタ被覆層形成用の粉剤を噴出する粉剤噴出器を設けてある塗装設備であって、
前記塗装室からオーバースプレー塗料含有の空気を排出する排気口を、前記塗装室の側壁部において前記塗装室の床の近傍に形成し、
前記フィルタ装置を前記塗装室の側方に配置して、前記フィルタ装置と前記塗装室との間に、前記排気口を通じて前記塗装室から排出されるオーバースプレー塗料含有の空気を受け入れる中継チャンバを設け、
前記吸入口は、前記排気口に対する非対向の位置で前記中継チャンバに接続して前記中継チャンバの内部に開口させ、
前記塗装室における天井部の全面から換気用空気を均等な吹出風速で鉛直下向きに吹き出すのに対して、
前記塗装室の側壁における前記床の近傍から斜め下向きに前記塗装室の内方側に延びる傾斜姿勢の気流案内板を設け、
この気流案内板における塗装室内方側の先端と前記床との間の間隙を前記排気口にしてある点にある。
【００２１】
この構成によれば、基本的には、前述した第１特徴構成と同様、塗装室の天井から吹き出す換気用空気が排気口へ短絡するのを防止して塗装室の換気状態を良好に保ちながら、また、吸入口を通じてフィルタ装置の内部に影響が及ぶような空気流の乱れや偏流を抑止してオーバースプレー塗料に対する捕捉機能を良好に保ちながら、塗装室とフィルタ装置との相対的な位置関係に自由度を持たせることができ、これにより、設備の設置施工を容易するとともに設備の設置コストを安価にすることができ、また、設備に対するメンテナンス作業も容易にすることができる。
【００２２】
また、この第２特徴構成では、
前記塗装室における天井部の全面から換気用空気を均等な吹出風速で鉛直下向きに吹き出すのに対して、
前記塗装室の側壁における前記床の近傍から斜め下向きに前記塗装室の内方側に延びる傾斜姿勢の気流案内板を設け、
この気流案内板における塗装室内方側の先端と前記床との間の間隙を前記排気口にしてあるから、次の作用・効果も奏する。
【００２３】
つまり、図１０に示すように、塗装室４の側壁部１５における床３ａの近傍に排気口１４（ここでは、フィルタ装置２の吸入口２０を兼ねる排気口）を設けた場合でも、塗装室４における天井部の全面から換気用空気ＳＡを均等な吹出風速で鉛直下向きに吹き出した場合における室内の空気流動状態を観察すると、同図１０に示す如く、室内を下降する空気ＳＡが次第に、排気口１４を形成した側壁１５の側に偏ることで、塗装室４における空気ＳＡの下降風速（特に塗装室４の下半部における空気ＳＡの下降風速）は、水平方向において、排気口１４を形成した側壁１５に近い側ほど大きくなり、逆に対向側壁１７に近い側ほど小さくなる。
【００２４】
これに対し、上記の如き気流案内板を設ければ、その気流案内板の案内作用により、排気口を形成した側壁の側に偏る下降空気流を対向側壁の側に押し戻す形態で、塗装室における空気の下降風速を、排気口を形成した側壁に近い側と対向側壁に近い側とで均等化することができ、これにより、塗装室における空気の流動状態を理想的な下向きピストン流の状態に近付けることができて、塗装室の換気状態を一層良好に保つことができる。
【００２５】
本発明の第３特徴構成は、第２特徴構成の実施に好適な実施形態を特定するものであり、その特徴は、
前記気流案内板を、水平方向に対して４５°〜６０°の角度を成す傾斜姿勢にしてある点にある。
【００２６】
つまり、上記した気流案内板の水平方向に対して成す角度を６０°より大きくすると、塗装室における空気の下降風速を、排気口を形成した側壁に近い側と対向側壁に近い側とで均等化する効果が得難くなり、一方、気流案内板の水平方向に対して成す角度を４５°未満にすると、気流案内板の板上で渦流が生じるなどして、塗装室の下半部（特に排気口の近傍）における空気の流動状態が却って乱れてしまう。
【００２７】
これらのことから、気流案内板を水平方向に対して４５°〜６０°の角度を成す傾斜姿勢にすれば、塗装室における空気の流動状態を理想的な下向きピストン流の状態に近付けることを一層効果的に達成することができる。
【００２８】
本発明の第４特徴構成は、第２又は第３特徴構成の実施に好適な構成を特定するものであり、その特徴は、
前記排気口の開口面に沿う方向での水平方向視において、前記気流案内板における塗装室内方側の先端が前記塗装室における被塗物設置箇所の下方近傍に位置する状態に、前記気流案内板を形成してある点にある。
【００２９】
この構成によれば、排気口の開口面に沿う方向での水平方向視において、被塗物設置箇所の両側夫々で、塗装室における下降空気流を被塗物設置箇所の側（即ち、塗装工程にある被塗物の側）に寄せることができ、これにより、被塗物に対するスプレー塗装の塗着効率を高めることができて、塗料の消費量を節減することができ、また、室内で発生するオーバースプレー塗料の発生量も低減することができて、フィルタ被覆層形成用粉剤の消費量も低減することができる。
【００３０】
本発明の第５特徴構成は、第１〜第４特徴構成のいずれかの実施に好適な実施形態を特定するものであり、その特徴は、
被塗物出入箇所と前記塗装室の室内における被塗物設置箇所との間で被塗物を往復搬送する搬送装置を、平面視において、前記塗装室に設置した塗装装置の両側夫々に配置してある点にある。
【００３１】
この構成によれば、塗装室における被塗物設置箇所で塗装装置により塗装した塗装済みの被塗物を一方の搬送装置により被塗物設置箇所から被塗物出入箇所に搬出するときに、次の未塗装の被塗物を他方の搬送装置により被塗物出入箇所から塗装室内の被塗物設置箇所に搬入するといった搬送形態で、被塗物設置箇所に対する被塗物の入れ換えを能率良く行うことができ、その分、塗装作業の作業能率を高めることができる。
【００３２】
本発明の第６特徴構成は、第１〜第５特徴構成のいずれか実施に好適な実施形態を特定するものであり、その特徴は、
前記中継チャンバにおける空気の最大風速を、前記吸入口における空気の風速の１／２以下にしてある点にある。
【００３３】
この構成によれば、吸入口を通じてフィルタ装置の内部に影響が及ぶような空気流の乱れや偏流の発生を一層効果的に抑止することができ、これにより、吸入口から吸入したオーバースプレー塗料含有の空気に対して粉剤噴出器により噴出した粉剤の空気中における分散状態を一層良好に保つことができる。
【００３４】
本発明の第７特徴構成は塗装設備に係り、その特徴は、
室内でスプレー塗装が行われる塗装室と、その塗装室から排出されるオーバースプレー塗料含有の空気を吸入口から吸入してフィルタに通過させることで空気中のオーバースプレー塗料を前記フィルタにより捕集するフィルタ装置とを備え、
このフィルタ装置の前記吸入口には、吸入するオーバースプレー塗料含有の空気に対してフィルタ被覆層形成用の粉剤を噴出する粉剤噴出器を設けてある塗装設備であって、
前記塗装室からオーバースプレー塗料含有の空気を排出する排気口を、前記塗装室の側壁部において前記塗装室の床の近傍に形成し、
前記フィルタ装置を前記塗装室の側方に配置して、前記フィルタ装置と前記塗装室との間に、前記排気口を通じて前記塗装室から排出されるオーバースプレー塗料含有の空気を受け入れる中継チャンバを設け、
前記吸入口は、前記排気口に対する非対向の位置で前記中継チャンバに接続して前記中継チャンバの内部に開口させ、
前記フィルタ装置が、
フィルタ被覆層として前記フィルタの表面に堆積した前記粉剤を前記フィルタから落下させるフィルタ清掃手段と、
前記フィルタから落下する前記粉剤を受け取る受取ホッパと、
この受取ホッパに受け取った前記粉剤を、開閉弁を通じてタンク内に収容する循環タンクと、
この循環タンクに収容した前記粉剤を前記粉剤噴出器に給送して前記吸入口から吸入したオーバースプレー塗料含有の空気に噴出させる粉剤給送手段とを備え、
前記粉剤給送手段として、
前記粉剤をキャリア空気とともに前記粉剤噴出器に給送する粉剤給送路と、
動作用空気を絞り部に通過させることで発生させる負圧により、前記循環タンクから前記粉剤を吸入して、吸入した粉剤を前記絞り部を通過した前記動作用空気とともに前記粉剤給送路における前記キャリア空気に合流させるエゼクタとを備え、
前記動作用空気としてドライエアを、前記エゼクタにおける前記絞り部に供給する点にある。
【００３５】
この構成によれば、基本的には、前述した第１特徴構成や第２特徴構成と同様、塗装室の天井から吹き出す換気用空気が排気口へ短絡するのを防止して塗装室の換気状態を良好に保ちながら、また、吸入口を通じてフィルタ装置の内部に影響が及ぶような空気流の乱れや偏流を抑止してオーバースプレー塗料に対する捕捉機能を良好に保ちながら、塗装室とフィルタ装置との相対的な位置関係に自由度を持たせることができ、これにより、設備の設置施工を容易するとともに設備の設置コストを安価にすることができ、また、設備に対するメンテナンス作業も容易にすることができる。
【００３６】
また、この第７特徴構成では、
前記フィルタ装置が、
フィルタ被覆層として前記フィルタの表面に堆積した前記粉剤を前記フィルタから落下させるフィルタ清掃手段と、
前記フィルタから落下する前記粉剤を受け取る受取ホッパと、
この受取ホッパに受け取った前記粉剤を、開閉弁を通じてタンク内に収容する循環タンクと、
この循環タンクに収容した前記粉剤を前記粉剤噴出器に給送して前記吸入口から吸入したオーバースプレー塗料含有の空気に噴出させる粉剤給送手段とを備えるから、次の作用・効果も奏する。
【００３７】
即ち、フィルタ被覆層形成用の粉剤を、粉剤噴出器→フィルタ→受取ホッパ→開閉弁→循環タンク→粉剤給送手段→粉剤噴出器の順に循環させる形態で、繰り返して使用することができる。
【００３８】
したがって、粉剤をフィルタ被覆層の形成に一回用いるだけで新しい粉剤と交換するのに比べ、粉剤の消費量を節減することができ、その分、塗装設備の運転コストを安価にすることができ、また、粉剤交換の手間も軽減することができる。
【００３９】
更に、この第７特徴構成では、
前記粉剤給送手段として、
前記粉剤をキャリア空気とともに前記粉剤噴出器に給送する粉剤給送路と、
動作用空気を絞り部に通過させることで発生させる負圧により、前記循環タンクから前記粉剤を吸入して、吸入した粉剤を前記絞り部を通過した前記動作用空気とともに前記粉剤給送路における前記キャリア空気に合流させるエゼクタとを備えるから、次の作用・効果も奏する。
【００４０】
即ち、エゼクタにより循環タンクから吸入した粉剤を、負圧発生に使用したエゼクタの動作用空気とともに粉剤給送路におけるキャリア空気に合流させることで、その粉剤をキャリア空気に乗せた状態で粉剤給送路を通じ粉剤噴出器に給送して粉剤噴出器からキャリア空気とともに噴出させる。
【００４１】
ところで、循環タンクにおける粉剤を粉剤給送路を通じて粉剤噴出器に給送するには、循環タンクにおける粉剤をロータリフィーダにより一定量ずつ取り出して粉剤給送路におけるキャリア空気に合流させることも考えられるが、この場合、キャリア空気に乗せた状態で粉剤噴出器に給送して粉剤噴出器から噴出させる粉剤の量（即ち、吸入口での粉剤の噴出量）が、ロータリフィーダによる一定量ずつの粉剤取り出しの周期と等しい周期で変動する。
【００４２】
これに対し、上記構成では、エゼクタの絞り部に対して動作用空気を一定流量で供給し続ける限り、循環タンクから粉剤を一定流量で変動なく連続に吸入して粉剤給送路のキャリア空気に合流させることができ、これにより、キャリア空気に乗せた状態で粉剤給送路を通じ粉剤噴出器に給送して粉剤噴出器から噴出させる粉剤の量（吸入口での粉剤の噴出量）も安定的に一定流量に保つことができる。
【００４３】
そして、このことにより、フィルタに送る空気における粉剤濃度の変動（即ち、吸入口での粉剤噴出量の周期的変動に原因する粉剤濃度の変動）を回避することができて、フィルタに送る空気中での粉剤とオーバースプレー塗料との接触の確率を安定的に一定に保つことができ、この点、循環タンクからロータリフィーダにより粉剤を取り出す場合に比べ、フィルタに送る過程でのオーバースプレー塗料と粉剤との接触により空気中のオーバースプレー塗料を捕捉する機能も一層高めることができる。
【００４４】
そしてまた、この第７特徴構成では、
前記動作用空気としてドライエアを、前記エゼクタにおける前記絞り部に供給するから、次の作用・効果も奏する。
【００４５】
即ち、エゼクタにより循環タンクから吸入する粉剤と、動作用空気としてエゼクタの絞り部に供給するドライエアとの接触により、粉剤中に混ざった塗料における液分の蒸発を促進して、粉剤中に混ざった塗料の乾燥（換言すれば、塗料混じり粉剤の再生化）を促進することができ、これにより、粉剤の交換頻度を一層低減することができる。
【００４６】
なお、粉剤給送路に供給するキャリア空気にもドライエアを採用すれば、塗料混じり粉剤の乾燥による再生化を一層促進することができる。
【００４７】
また、ブロアなどにより設備周りの空気をキャリア空気として粉剤給送路に供給するようにすれば、動作用空気としてのドライエアの採用により塗料混じり粉剤の再生化を促進しながらも、エゼクタに対する動作用空気及び粉剤給送路におけるキャリア空気の双方に高価なドライエアを採用するのに比べ、設備のランニングコストを安価にすることができる。
【００４８】
本発明の第８特徴構成は、第７特徴構成の実施に好適な実施形態を特定するものであり、その特徴は、
前記循環タンクの内部は、通気性多孔板からなる散気板により上側室と下側室とに仕切り、
前記上側室は、前記受取ホッパが受け取った前記粉剤を前記開閉弁を通じて収容する粉剤収容室にし、
前記下側室は、室内に供給される流動化用空気を前記散気板を通じて前記粉剤噴出室に噴出させる散気室にし、
前記粉剤収容室の水平方向における一端部には、室内の前記粉剤を前記粉剤給送手段に対して送出する粉剤送出口を形成し、
前記粉剤収容室の水平方向における他端部には、前記粉剤送出口に向けて送出補助空気を噴出する補助空気噴出口を設けてある点にある。
【００４９】
この構成では、循環タンクにおける下側の散気室から散気板を通じて流動化用空気を上側の粉剤収納室に噴出させることで、粉剤収容室における粉剤を流動化する。
そして、この流動化状態において、粉剤収容室の水平方向における一端部に設けた粉剤送出口に向けて、粉剤収容室の水平方向における他端部の補助空気噴出口から送出補助空気を噴出することで、噴出した送出補助空気により流動化状態の粉剤を粉剤送出口の側へ押し遣る形態にして、粉剤収容室における粉剤を粉剤送出口を通じて粉剤給送手段に送出するのを補助する。
即ち、これら粉剤の流動化及び粉剤送出の補助により、循環タンクから粉剤を円滑に送出することができ、これにより、オーバースプレー塗料含有の空気に対する粉剤噴出器からの粉剤の噴出を一層安定化することができる。
【００５０】
本発明の第９特徴構成は、第８特徴構成の実施に好適な実施形態を特定するものであり、その特徴は、
前記補助空気噴出口から前記粉剤収容室に噴出する前記送出補助空気と、前記散気板を通じて前記粉剤収容室に噴出させる前記流動化用空気との少なくとも一方が、ドライエアである点にある。
この構成によれば、送出補助空気と流動化用空気との少なくとも一方にドライエアを用いることで、そのドライエアと循環タンクにおける粉剤との接触により、粉剤中に混ざった塗料における液分の蒸発を促進して、粉剤中に混ざった塗料の乾燥（換言すれば、塗料混じり粉剤の再生化）を促進することができ、これにより、粉剤の交換頻度を一層効果的に低減することができる。
なお、送出補助空気と流動化用空気とのいずれか一方にドライエアを用いるのに対し、ブロアなどにより設備周りの空気を他方の空気として供給するようにすれば、一方にドライエアを採用することで粉剤の再生化を促進しながらも、送出補助空気と流動化用空気との双方に高価なドライエアを採用するのに比べ、設備のランニングコストを安価にすることができる。
【図面の簡単な説明】
【００５１】
【図１】塗装設備の全体構成を示す縦断面図
【図２】図１におけるII−II線矢視図
【図３】図１におけるIII−III線矢視図
【図４】循環タンクの拡大縦断面図
【図５】図４におけるV−V線矢視図
【図６】比較例を示す塗装設備の概略側面図
【図７】図６におけるVII−VII線矢視図
【図８】従来設備を示す縦断面図
【図９】他の従来設備を示す縦断面図
【図１０】塗装室における空気流動状態を示す図
【発明を実施するための形態】
【００５２】
図１，図２は、塗装ブース１とフィルタ装置２とを、建屋内の床３上に並べて設置した塗装設備を示し、塗装ブース１には、室内で被塗物Ｗのスプレー塗装を行う塗装室４を形成するとともに、塗装室４とはシャッタ扉５により仕切る前室６を形成してある。
【００５３】
塗装室４の平面視中央部には、シャッタ扉５とは反対側の被塗物設置箇所Ｘに設置された被塗物Ｗを塗装する塗装装置として、可動アームの先端に塗装機７を取り付けた塗装ロボット８を設置してあり、この塗装ロボット８による塗装機７の操作で被塗物Ｗをスプレー塗装する。
【００５４】
また、塗装室４には、被塗物設置箇所Ｘとシャッタ扉５の側の被塗物出入箇所Ｙとの間で被塗物Ｗを往復搬送するコンベア式の搬送装置９Ａ，９Ｂを、平面視で塗装ロボット８の両側夫々に設置してある。
【００５５】
即ち、作業者は、シャッタ扉５を開いて前室６から一対の搬送装置９Ａ，９Ｂの夫々に対し被塗物出入箇所Ｙにおいて未塗装の被塗物Ｗを載置し、その状態でシャッタ扉５を閉じる。
【００５６】
次いで、作業者がスタート指令を付与すると、一方の搬送装置９Ａが、載置された未塗装の被塗物Ｗを被塗物出入箇所Ｙから被塗物設置箇所Ｘに搬入し、これに続いて、塗装ロボット８が、被塗物設置箇所Ｘに搬入された未塗装の被塗物Ｗをスプレー塗装する。
【００５７】
このスプレー塗装が終了すると、一方の搬送装置９Ａが塗装済みの被塗物Ｗを被塗物設置箇所Ｘから被塗物出入箇所Ｙに搬出するとともに、その間に、他方の搬送装置９Ｂが、載置された未塗装の被塗物Ｗを被塗物出入箇所Ｙから被塗物設置箇所Ｘに搬入し、これに続いて、塗装ロボット８が、被塗物設置箇所Ｘに搬入された未塗装の被塗物Ｗをスプレー塗装し、このスプレー塗装が終了すると、他方の搬送装置９Ｂが塗装済みの被塗物Ｗを被塗物設置箇所Ｘから被塗物出入箇所Ｙに搬出する。
【００５８】
この搬出が完了すると、作業者は、シャッタ扉５を開いて塗装済みの被塗物Ｗを被塗物出入箇所Ｙにおいて一対の搬送装置９Ａ，９Ｂの夫々から受け取り、次いで、作業者は、被塗物出入箇所Ｙにおいて一対の搬送装置９Ａ，９Ｂの夫々に未塗装の次の被塗物Ｗを載置する。
【００５９】
そして以降、この一連の工程を繰り返すことで、一対の搬送装置９Ａ，９Ｂにより交互に被塗物Ｗを被塗物設置箇所Ｘに設置する形態で、被塗物Ｗを順次にスプレー塗装する。
【００６０】
塗装ブース１における塗装室４の上部には、空調機１０で温湿度調整した換気用空気ＳＡが給気ダクト１１を通じて供給される給気チャンバ１２を設けてあり、この給気チャンバ１２に供給された換気用空気ＳＡは、塗装室４の天井部に張設した天井フィルタ１３を通じて塗装室４の全体に対し均等な吹出風速で鉛直下向きに吹き出される。
【００６１】
即ち、塗装室４の天井部から換気用空気ＳＡを塗装室４の全体に対し均等な吹出風速で鉛直下向きに吹き出すことで、スプレー塗装に伴い室内に発生する浮遊ミスト状態のオーバースプレー塗料を室内の空気Ａとともに塗装室４から効率的に排出する。
【００６２】
オーバースプレー塗料含有の空気Ａを塗装室４から排出する排気口１４は、塗装室４における被塗物設置箇所Ｘの側の側壁１５の全幅（換言すれば、塗装室４の全幅）にわたる横長スリット形状にして、その側壁１５における床３ａの近傍に形成してあり、これにより、天井フィルタ１３を通じて鉛直下向きに吹き出す換気用空気ＳＡが短絡的に排気口１４に吸い込まれることを防止する。
【００６３】
この排気口１４を形成するのに、具体的には、塗装室４における被塗物設置箇所Ｘの側の側壁１５の下端から水平方向に対する４５°程度（望ましくは４５°〜６０°）の傾斜角度で斜め下向きに塗装室４の内方側に延びる傾斜姿勢の気流案内板１６を、側壁１５の全幅にわたらせて設け、この気流案内板１６における塗装室内方側の先端と塗装室４における床３ａとの間の間隙を排気口１４にしてある。
【００６４】
つまり、この気流案内板１６を設けることで、排気口１４を設けた側壁１５に近い側における空気ＳＡの下降風速と、シャッタ扉５を設けた対向側壁１７に近い側における空気ＳＡの下降風速とを均等化し、これにより、塗装室４における空気ＳＡの流動状態を理想的な下向きピストン流の状態に極力近付ける。
【００６５】
この気流案内板１６の先端は、排気口１４の開口面に沿う方向での水平方向視（即ち、図１の紙面視）において、塗装室４における被塗物設置箇所Ｘの下方近傍（望ましくは被塗物設置箇所Ｘの直下）に位置する状態に配置してあり、これにより、被塗物Ｗに対するスプレー塗装での塗着効率を高めて、オーバースプレー塗料の発生量も低減する。
【００６６】
フィルタ装置２は、排気口１４を設けた側壁１５の側において塗装ブース１における塗装室４の側方に設置してあり、このフィルタ装置２と塗装室４との間には、塗装室４と同じ横幅寸法（即ち、側壁１５と同じ横幅寸法）を有する直方体形状の中継チャンバ１８を設けてある。
【００６７】
そして、塗装室４の排気口１４は、気流案内板１６の下方空間を連通路１９として中継チャンバ１８の下部に連通させ、これに対し、フィルタ装置２の吸入口２０は、後述する受取ホッパ３５の装備などが理由で位置が高くなることから、中継チャンバ１８の上部に対し直接的に接続して中継チャンバ１８の内部に開口させてある。
【００６８】
また、このようにフィルタ装置２の吸入口２０を、中継チャンバ１８の内部に開口させることにより、塗装室４の排気口１４からフィルタ装置２の吸入口２０に渡るオーバースプレー塗料含有の空気Ａに乱れや偏流が生じることを、中継チャンバ１８の静圧化機能により抑止し、これにより、吸入口２０に至るまでの過程で生じる空気Ａの乱れや偏流の影響が吸入口２０を通じてフィルタ装置２の内部に及ぶことを防止する。
【００６９】
なお、中継チャンバ１８の大きさは、中継チャンバ１８の内部における空気Ａの最大風速がフィルタ装置２の吸入口２０における空気Ａの風速の１／２以下（さらに好ましくは１／３以下）になるように選定してある。
【００７０】
塗装室４における中継チャンバ１８の側の側壁１５（即ち、排気口１４を形成した側の側壁）は、塗装室４と中継チャンバ１８との間の仕切壁とする形態で、中継チャンバ１８における塗装室４の側の側壁に兼用してあり、また、この側壁１５のうち、中継チャンバ１８における塗装室４の側の側壁を兼ねる部分１５Ａ（即ち、上記仕切壁の部分）は、中継チャンバ１８の内部に対する開閉操作が自在なメンテナンス開口蓋として、図１において一点鎖線の仮想線で示す如く、側壁１５から塗装室４の内方側に取り外せるようにしてある。
【００７１】
中継チャンバ１８には、この塗装室側のメンテナンス開口蓋１５Ａに加えて、中継チャンバ１８の上壁部にも開閉操作が自在なメンテナンス開口蓋２１設けてあり、これにより、塗装室４から排出される空気Ａに含まれるオーバースプレー塗料の一部が中継チャンバ１８の内面部に付着するとしても、塗装室側及び上壁側のメンテナンス開口蓋１５Ａ，２１を開くことで、作業者は容易に中継チャンバ１８の内部を清掃することができる。
【００７２】
なお、中継チャンバ１８の内部における気流の変向部には、図１において二点鎖線の仮想線で示す如き弧状や傾斜板状の案内部材２２を設け、この案内部材２２により中継チャンバ１８の内部における空気Ａの流れを円滑にすることで、中継チャンバ１８の内面部に対するオーバースプレー塗料の付着を防止するようにしてもよい。
【００７３】
また、中継チャンバ１８の内面部にフッ素樹脂コーティングなどの撥液性コーティングを施しておくことでオーバースプレー塗料の付着を防止したり、アルミ箔などの剥がし操作が容易な不燃性シートを中継チャンバ１８の内面部に貼付けておくことで、オーバースプレー塗料が付着した不燃性シートを剥がすだけで中継チャンバ１８の内部を清掃できるようにしたりしてもよい。
【００７４】
図１，図３に示すように、フィルタ装置２は、上部ケーシング２３の内部に複数の縦筒状のフィルタ２４を収容したものであり、塗装室４から排出されたオーバースプレー塗料含有の空気Ａは、吸入口２０を通過した後、フィルタ群下方の入口室２５から各フィルタ２４を通過してフィルタ群上方の出口室２６に至り、このフィルタ通過により空気Ａ中のオーバースプレー塗料がフィルタ２４により捕集される。
【００７５】
フィルタ装置２の吸入口２０には、その吸入口２０を入口開口とする傾斜筒状の混合部形成筒体２７を装備してあり、この混合部形成筒体２７の上壁部には、下向きに開口する樋状の拡散用凹部２８を、吸入口２０の横幅方向に連続させて吸入口２０の全幅にわたらせる状態に設けてある。
【００７６】
また、この混合部形成筒体２７には、吸入口２０の横幅方向中央部で拡散用凹部２８の上底部に向けてフィルタ被覆層形成用の粉剤Ｐ（いわゆるプレコート剤）をキャリア空気ＣＡとともに噴出するノズル形式の粉剤噴出器２９を装備してある。
【００７７】
即ち、この粉剤噴出器２９から粉剤Ｐをキャリア空気ＣＡとともに拡散用凹部２８の上底部に向けて噴出することで拡散用凹部２８の内部において渦流を生じさせ、この渦流に乗せた状態で粉剤Ｐを拡散用凹部２８の内部で吸入口２０の横幅方向に拡散させる。
【００７８】
そして、このように吸入口２０の横幅方向に拡散させた粉剤Ｐを、吸入口２０に流入したオーバースプレー塗料含有の空気Ａ（即ち、混合部形成筒体２７を通過する空気）に取り込ませることで、吸入口２０から吸入したオーバースプレー塗料含有の空気Ａに対して粉剤Ｐを均等な分散状態にして混合する。
【００７９】
また、この際、吸入口２０を通じてフィルタ装置２の内部に影響が及ぶような空気流Ａの乱れや偏流の発生を、前述の如く中継チャンバ１８の静圧化機能により抑止してあることで、粉剤噴出器２９から噴出した粉剤Ｐの分散状態での空気Ａ中への混合は、空気流Ａの乱れや偏流の影響の受けることなく良好かつ安定的に行われる。
【００８０】
粉剤噴出器２９からの噴出によりオーバースプレー塗料含有の空気Ａに混合された粉剤Ｐは、その空気Ａがフィルタ２４を通過する過程でフィルタ２４の表面に堆積し、これにより、フィルタ被覆層としての粉剤堆積層がフィルタ２４の表面に形成される。
【００８１】
即ち、このようにフィルタ２４の表面にフィルタ被覆層としての粉剤堆積層を形成することで、フィルタ２４に対する空気Ａの通過に伴い空気Ａ中のオーバースプレー塗料をフィルタ被覆層としての粉剤堆積層に捕捉させて、フィルタ２４に対するオーバースプレー塗料の直接の付着を防止した状態で、空気Ａ中のオーバースプレー塗料をフィルタ２４により捕集する。
【００８２】
フィルタ２４を通過して出口室２６に入った濾過後の空気Ａ（即ち、オーバースプレー塗料が分離除去された浄化空気）は、フィルタ装置２から還気路３０を通じ空調機１０に返送する。
【００８３】
そして、還気路３０を通じ空調機１０に返送した濾過後の空気Ａは、外気路３１を通じて空調機１０に導入される外気ＯＡ（本例では、外調機により一次調整した外気）との混合状態で空調機１０において再調整した上で、換気用空気ＳＡとして給気ダクト１１を通じ塗装室４の給気チャンバ１２に供給される。
【００８４】
なお、フィルタ装置２から還気路３０に送出される濾過後の空気Ａの一部は、排気路３２を通じて外部に排出し、また、空調機１０から送出される換気用空気ＳＡの一部は、分岐路３３を通じて他の用途に供給する。
【００８５】
フィルタ装置２には、フィルタ清掃手段として、フィルタ２４に対して出口室２６の側から逆洗用空気Ａ１をパルス的に吹き付ける逆洗器３４を装備してあり、入口室２５と出口室２６との差圧が所定値に上昇するごとに、この逆洗器３４を作動させることで、オーバースプレー塗料が混じった状態でフィルタ２４の表面に堆積したフィルタ被覆層としての粉剤堆積層をフィルタ２４から脱落させて、フィルタ２４を再生する。
【００８６】
入口室２５の下方には、フィルタ２４から落下する粉剤堆積層（即ち、塗料混じりの粉剤Ｐ）を受け取る受取ホッパ３５を設けてあり、また、この受取ホッパ３５の底頂部には、開閉弁３６を介して循環タンク３７を連設してある。
【００８７】
循環タンク３７は、図４，図５に示すように、通気性多孔板からなる散気板３８により上側室３９と下側室４０とに仕切ってあり、上側室３９は、開閉弁３６を開くことで、受取ホッパ３５内に堆積した塗料混じりの粉剤Ｐを自重落下により室内に収容する粉剤収容室にしてある。
【００８８】
また、下側室４０は、室内に供給される流動化用空気Ａ２を散気板３８を通じて上側の粉剤収容室３９に噴出させる散気室にしてあり、この散気板３８を通じた流動化用空気Ａ２の噴出により粉剤収容室３９における粉剤Ｐを流動化する。
【００８９】
粉剤収容室３９で流動化した粉剤Ｐは、粉剤給送手段４１によりキャリア空気ＣＡに乗せた状態で吸入口２０における粉剤噴出器２９に給送することで、吸入口２０から吸入したオーバースプレー塗料含有の空気Ａに対して、粉剤噴出器２９から粉剤Ｐをキャリア空気ＣＡとともに噴出する。
【００９０】
粉剤給送手段４１としては、粉剤Ｐをキャリア空気ＣＡに乗せた状態で粉剤噴出器２９に給送する粉剤給送路４２を設けるとともに、循環タンク３７の粉剤収容室３９における流動化した粉剤Ｐを吸入して粉剤給送路４２におけるキャリア空気ＣＡに合流させるエゼクタ４３を設けてある。
【００９１】
なお、このエゼクタ４３は、動作用空気Ａ３を絞り部４４に通過させることで負圧を発生させて、その負圧により吸入路４５を通じて粉剤収容室３９における粉剤Ｐを吸入し、この吸入した粉剤Ｐを、絞り部４４を通過した後の動作用空気Ａ３とともに合流路４６を通じて粉剤給送路４２に送るものである。
【００９２】
循環タンク３７には、粉剤収容室３９における粉剤Ｐの収容量が設定下限量まで低下したか否かを検出する粉剤レベルセンサ４７を設けてあり、受取ホッパ３５と循環タンク３７との間の開閉弁３６は、この粉剤レベルセンサ４７の検出情報に基づき、粉剤収容室３９における粉剤Ｐの収容量が設定下限量まで減少するごとに開弁して、受取ホッパ３５に堆積した粉剤Ｐを粉剤収容室３９に収容する弁にしてある。
【００９３】
また、循環タンク３７には、通常時には蓋により閉塞しておく粉剤交換口４８を設けてある。
【００９４】
つまり、このフィルタ装置２では、循環タンク３７の粉剤交換口４８を通じて所定量の新しい粉剤Ｐを粉剤収容室３９に投入し、先ずは、この新しい粉剤Ｐを、粉剤給送手段４１により粉剤収容室３９から粉剤噴出器２９に給送して、吸入口２０から吸入したオーバースプレー塗料含有の空気Ａに噴出する形態で、フィルタ装置２を運転する。
【００９５】
その後、粉剤収容室３９における粉剤Ｐの収容量が設定下限量まで減少すると、開閉弁３６が開弁することで、それまでのフィルタ装置２の運転において受取ホッパ３５に堆積した粉剤Ｐ（即ち、塗料混じりの粉剤）が粉剤収容室３９に収容される。
【００９６】
これにより、以降は、粉剤収容室３９における粉剤Ｐの収容量が設定下限量まで減少するごとに、開閉弁３６の開弁により、受取ホッパ３５に堆積した粉剤Ｐを粉剤収容室３９に収容することを繰り返すようして、粉剤収容室３９における粉剤Ｐを、粉剤噴出器２９−フィルタ２４−受取ホッパ３５−開閉弁３６−粉剤収容室３９の順に循環させる形態で、フィルタ装置２の運転を継続する。
【００９７】
その後、新しい粉剤Ｐを循環タンク３７に投入してからのフィルタ装置２の積算運転時間が所定の上限時間（例えば、塗装設備の１日における稼働時間）に至ると、その時点で受取ホッパ３５に堆積している粉剤Ｐを開閉弁３６の開弁操作により粉剤収容室３９に収容した上で、粉剤収容室３９における使用済の粉剤Ｐの全量を、循環タンク３７の粉剤交換口４８を通じ吸引機（図示を省略）により粉剤収容室３９から排出する。
【００９８】
そして、この粉剤Ｐの全量排出の後、改めて所定量の新しい粉剤Ｐを、粉剤交換口４８を通じ粉剤収容室３９に投入し、以降、上述した一連の運転工程を繰り返す形態で、塗装室４での塗装作業に併行してフィルタ装置２を運転する。
【００９９】
循環タンク３７における粉剤収容室３９の水平方向における一端部には粉剤送出口４９を形成してあり、粉剤収容室３９における粉剤Ｐは、この粉剤送出口４９を通じてエゼクタ４３の吸入路４５に送出する。
【０１００】
また、循環タンク３７における粉剤収容室３９の水平方向における他端部には、粉剤送出口４９に向けて送出補助空気Ａ４を噴出する補助空気噴出口５０を設けてある。
【０１０１】
即ち、この補助空気噴出口５０から粉剤送出口４９に向けて送出補助空気Ａ４を噴出することで、散気板３８を通じた流動化用空気Ａ２の噴出により流動化した粉剤収容室３９内の粉剤Ｐを粉剤送出口４９の側へ押し遣る形態にして、粉剤送出口４９からの粉剤Ｐの送出を補助する。
【０１０２】
エゼクタ４３の絞り部４４に供給する動作用空気Ａ３、補助空気噴出口５０から噴出する送出補助空気Ａ４、逆洗器３４から噴出する逆洗用空気Ａ１、並びに、開閉弁３６の開閉操作に用いる開閉操作用空気Ａ５の夫々には、浄化処理するとともに減湿処理したドライエアを採用しており、特に動作用空気Ａ３及び送出補助空気Ａ４の夫々にドライエアを採用することで、それら動作用空気Ａ３や送出補助空気Ａ４の粉剤Ｐに対する接触により、粉剤Ｐ中に混ざった塗料における液分の蒸発を促進して、粉剤Ｐ中に混ざった塗料の乾燥を促進し、これにより、新しい粉剤Ｐとの交換が必要になるまでの粉剤Ｐの寿命を長くする。
【０１０３】
一方、散気室４０に供給する流動化用空気Ａ２及び粉剤送給路４２に供給するキャリア空気ＣＡの夫々には、それらの使用流量が大きいことからランニングコストを考慮して、ブロア５１により吸入して給送する設備周辺空気を採用している。
【０１０４】
また、循環タンク３７の粉剤収容室３９において粉剤送出口４９の近傍には、粉剤収容室３９の全幅にわたる傾斜姿勢の通過抵抗板５２を配置して、この通過抵抗板５２の下端と散気板３８との間のスリット状の間隙を通じて粉剤収容室３９内の粉剤Ｐを粉剤送出口４９に至らせるようにしてある。
【０１０５】
即ち、この通過抵抗板５２を設けることで、粉剤収容室３９における粉剤Ｐが粉剤収容室３９の幅方向（図４における紙面奥行方向）について均等な状態で粉剤送出口４９から送出されるようにし、これにより、粉剤収容室３９における粉剤Ｐの一部が粉剤送出口４９から送出されないままの状態で室内に残ることを防止する。
【０１０６】
図中、５３は粉剤収容室３９からフィルタ装置２の入口室２５にわたる空気逃がし路であり、粉剤収容室３９に対して吹き出す流動化用空気Ａ２及び送出補助空気Ａ４のうち、粉剤Ｐとともにエゼクタ４３に吸入される空気量に対して過剰となる空気は、この空気逃がし路５３を通じて粉剤収容室３９からフィルタ装置２の入口室２５に逃がす。
【０１０７】
なお、循環タンク３７周りの構成や粉剤給送手段４１については、図８や図９に示す従来の塗装設備においても採用することができる。
【０１０８】
〔別実施形態〕
次に本発明の別実施形態を列記する。
【０１０９】
中継チャンバ１８の大きさや形状は、図１，図２に示す大きさや形状に限らず、吸入口２０を通じてフィルタ装置２の内部にまで影響が及ぶような空気流Ａの乱れや偏流の発生を抑止できるものあれば、どのような大きさ及び形状にしてもよい。
【０１１０】
塗装室４の排気口１４は、塗装室４の室外に施設する中継ダクトを通じて中継チャンバ１８に連通させるようにしてもよい。
【０１１１】
フィルタ装置２における吸入口２０の構造、及び、その吸入口２０に設ける粉剤噴出器２９の構造は、夫々、図１〜図３に示す構造に限らず、どうような構造にしてもよい。
【０１１２】
フィルタ装置２は、フィルタ被覆層形成用の粉剤Ｐを複数回にわたり繰り返して使用するものに限らず、フィルタ被覆層形成用の粉剤Ｐを１回使用するだけで廃棄するものであってもよい。
【０１１３】
塗装室４に設置する塗装装置は、塗装ロボット８に限られるものではなく、作業員が手に持って操作する塗装ガン、あるいは、塗装機を往復動作させるだけの動作装置であってもよい。
【０１１４】
フィルタ２４の表面に形成された粉剤堆積層を受取ホッパ３５に落下させるフィルタ清掃手段には、逆洗用空気Ａ１をフィルタ２４に対してパルス的に作用させるものに限らず、フィルタ２４を機械的に振動させることで粉剤堆積層を落下させるものや、粉剤堆積層を掻き取る形態で落下させるものなど、種々の形式のものを採用することができる。  
【産業上の利用可能性】
【０１１５】
本発明による塗装設備は、各種分野における種々の被塗物の塗装に利用することができる。
【符号の説明】
【０１１６】
４          塗装室
Ａ          空気
２０        吸入口
２４        フィルタ
２          フィルタ装置
Ｐ          粉剤
２９        粉剤噴出器
１４        排気口
１５        側壁
３，３ａ    床
１８        中継チャンバ
１５Ａ      メンテナンス開口蓋
ＳＡ        換気用空気
１６        気流案内板
Ｘ          被塗物設置箇所
Ｙ          被塗物出入箇所
Ｗ          被塗物
９Ａ，９Ｂ  搬送装置
８          塗装ロボット（塗装装置）
３４        逆洗器（フィルタ清掃手段）
３５        受取ホッパ
３６        開閉弁
３７        循環タンク
４１        粉剤給送手段
ＣＡ        キャリア空気
４２        粉剤給送路
Ａ３        動作用空気
４４        絞り部
４３        エゼクタ
３８        散気板
３９        粉剤収容室
Ａ２        流動化用空気
４０        散気室
４９        粉剤送出口
Ａ４        送出補助空気
５０        補助空気噴出口
【図１】
0006625015.tif 000002
【図２】
0006625015.tif 000003
【図３】
0006625015.tif 000004
【図４】
0006625015.tif 000005
【図５】
0006625015.tif 000006
【図６】
0006625015.tif 000007
【図７】
0006625015.tif 000008
【図８】
0006625015.tif 000009
【図９】
0006625015.tif 000010
【図１０】
0006625015.tif 000011